(57)【要約】      （修正有）【課題】装着時に自然な外観を保ちつつ、かつ、脚を締め付ける不快感もなく、レッグウエアを用いて人の足を細く長く美しく見せること。【解決手段】レッグウエアに、足の内側から外側に向かって、上方向に上がった斜線のパターンを施すことで、装着時に、従来にはなかった高い効果を発揮し、かつレッグウエアとして自然な外観であり、脚を締め付ける不快感もなく、足を細く長く美しく見せることが可能である。また、斜線のパターンは直線以外の模様を用いて作成しても十分効果を発揮し、服飾品として品質を高く保ちつつ脚を細く見せることを可能とする。【選択図】図１
2013142203.tif 000002
【特許請求の範囲】
【請求項１】
レッグウエアとし自然な外観を保ちながら、人間の足を細く長く見せるパターンを施したレッグウエア。
【請求項２】
上記パターンが、体の足の内側から外側方向に向かって上がっている斜線をパターンに用いた請求項１に記載のレッグウエア。
【請求項３】
上記パターンが、直線以外の模様をモチーフとして用いて、斜線のパターンを形成するように配置されたパターンを施した請求項１に記載のレッグウエア。
【発明の詳細な説明】
【技術分野】
【０００１】
本発明は、装着した際に脚部を細く長く美しく見せるためのレッグウエアに関するものであり、さらに詳しくは、特定のパターンをレッグウエア上に作成し、足を細く長く、美しく見せることを目的としている。レッグウエアとしては、特に限定はされないが、パンティストッキング、ストッキング、タイツ、レギンス、ソックスなどが含まれる。          
【背景技術】
【０００２】
従来より、レッグウエア、特にパンティストッキング、ストッキング、タイツ、レギンスソックス等を用いて人間の足を細く長く見せるということに関しては、様々な検討がなされてきた。
【先行技術文献】
【特許文献】
【０００３】
【特許文献１】特開２００６−１３２０６４
【特許文献２】特開平１０−３３１００１
【特許文献３】特開２０００−２９０８０６
【発明の概要】
【発明が解決しようとする課題】
【０００４】
従来、影や縦縞を物体に施すことで、物体を立体的に見せたり、細く長く見せようとすることは、レッグウエアに限らず研究されてきた。しかしながら、これをレッグウエアに適用したところ、その効果は十分でなく、また体側方向から見たときに不自然な印象を与える場合があった。
【０００５】
レッグウエアに関する従来の技術は以下のようなものがある。
（１）模様の大小を利用し、足首とふくらはぎ部、太腿部の太さの差を小さく見せようとするもの。（特許文献１）
（２）いわゆるシャドー効果という、脚の側面部分に影をつけて足を細く見せようとするもの、もしくは繊維の編み方によって影をつけて同様の効果をえようとするもの。（特許文献２）
（３）脚を段階的または非段階的に圧迫し、脚部のむくみを防止して、足を細く保つもの。（特許文献３）
従来の方法では、錯視を利用して足を細く長く見せようとしているものの、模様やパターンが不自然で服飾品としてふさわしくなかったり、あるいは、その効果が低く十分な効果がえられていなかった。また、レッグウエアに、編み目や印刷等により陰影またはシャドーを付けて足を細く見せようとするものでは、体側方向から見た際に、影が脚部中央部に表れ、やはり不自然であった。
更には、ストッキングやタイツ、ソックス等で段階的に脚部を締め付け、むくみを軽減し足を細く見せるレッグウエア等では、足への締め付けがきつく、足への不快な装着感が問題となってしまっている。
【課題を解決するための手段】
【０００６】
そこで、鋭意検討を行なった結果、特定のパターンに特に足を細く見せる効果があることを見出し、本発明に至った。
【０００７】
具体的には、体の正面から脚部を見た時に、脚部の内側から外側に向かって斜線のパターンを入れることによって、特に足を細く見せる効果があることを見出した。さらにその斜線は、体の正面または後ろから見たときに、脚部の内側から外側に向かって上方向に向かっていることが必要である。（図１）
【０００８】
鋭意検討の結果、意外にも一定の角度の斜線のパターンによって、特に足を細く見せる効果があることを見出し、さらには、そのパターンがどのような方向から見ても不自然ではないことを見出した。
【発明の効果】
【０００９】
すなわち、特定のパターンをレッグウエアに施すことで、装着時に十分に足を細く見せ、さらにそのパターンが全方向から見て不自然でない効果を持つレッグウエアである。さらには、本発明は前出の圧着ストッキング等とは全く原理を異にするものであり、脚部の締め付けで足を細く見せるものではないので、締め付けによる装着時の不快感も全くない。
【図面の簡単な説明】
【００１０】
【図１】本発明のレッグウエアを正面、または後ろから見た図である。
【図２】本発明の斜線パターンを詳細に示した図である。
【発明を実施するための形態】
【００１１】
以下、さらに発明を詳しく説明する。本発明における斜線は、図２における角度（ア）が水平方向に対して０度から９０度未満の角度を持つように作成され、水平方向、すなわち角度（ア）が０度では効果がなく、また、一般に物体を細く見せると考えられている縦縞である垂直方向、すなわち角度（ア）が９０度でも顕著な効果はない。
【００１２】
さらに、この斜線のパターンについては、レッグウエアとしてふさわしくなるよう、加工がなされていてもよい。以下例示をするが、発明を制限するものではない。
【００１３】
例えば、斜線のパターンに濃淡をつけたり、斜線の本数を増減したりすることによって、より自然なレッグウエアとして使用することもできる。また、蔦模様やゼブラ模様等のモチーフを斜線のパターンのように配置することによっても本発明の効果は得られる。その他、幾何学模様や抽象的模様等を斜線のパターンとして配置、配列することによっても本発明の効果は得られる。こうした加工によって、斜線のパターンによる足を細く見せる効果を十分に発揮しつつも、服飾品として自然なレッグウエアを提供することが可能となる。
【００１４】
さらに、本発明における斜線パターンはどのような方法によって作成されたものでも可能である。特に限定するものではないが、印刷によるものや、繊維の編み方によって作成するなどが例として挙げられる。
【００１５】
脚部の正面側と後ろ側の両方に本発明の斜線のパターンを施した場合、体側部から見たパターンは、無加工のままであれば、山なりの幾何学的模様を形成しても良いし、あるいは、パターンを薄くなるよう施して目立たなくしても良いし、その他の模様などを施してもよい。このように様々な加工を追加して体側方向から見た時に、レッグウエアとして自然なパターンとなるようにしても、足を細く見せる効果は十分発揮されるのである。
【００１６】
以下試験例と実施例を用いてさらに本発明を詳細に説明するが、本発明はこれに限定されるものではない。
（試験例１）
足の太さに悩みを持つ女性６名に足脚部にパターンを施した図（実施例１から３、比較例１から３）を見てもらい、どのパターンが足を細く見えるか、以下の５段階で評価し、平均点を算出した。より点数の高いものをより効果があると判断した。
とても細く見える・・・５
やや細く見える・・・・４
ほとんど効果がない・・３
やや太く見える・・・・２
太く見える・・・・・・１
（試験例２）
さらに、実施例１から３、比較例１から３を、正面、体側方向からみた場合に、レッグウエアとしてふさわしく、自然に見えるかを試験例１と同様に評価した。
とても自然に見える・・・５
やや自然に見える・・・・４
どちらでもない・・・・・３
やや不自然に見える・・・２
不自然に見える・・・・・１
【００１７】
評価の結果、試験例１については、実施例１は５点、実施例２は４．５点、実施例３は５点、比較例１は３点、比較例２は２点、比較例３は３点であった。また、試験例２については、実施例１から３は５点、比較例１は１点、比較例２は１点、比較例３については４点であった。
【００１８】
以上より、本発明を実施した場合には、足を細く長く美しく見せる効果が従来の技術よりも高く、さらにより自然に見えることが明らかとなった。
【実施例】
【００１９】
以下に実施例、比較例を示すが、本発明はこれに制限されるものではない。
【実施例１】
【００２０】
図２における角度（ア）を６０度となるように、足の内側から外側に向かって斜線のパターンを施したレッグウエア。（体側方向のパターンは加工なし。）
【実施例２】
【００２１】
図２における角度（ア）を４５度となるように、足の内側から外側に向かって斜線のパターンを施したレッグウエア。（体側方向のパターンは加工なし。）
【実施例３】
【００２２】
図２における角度（ア）を６０度となるように、足の内側から外側に向かって斜線のパターンを、植物の蔓模様をモチーフとして使用して施したレッグウエア。
【００２３】
（比較例１）
足の体側側、内側に陰影を施したレッグウエア。
【００２４】
（比較例２）
足の正面部分に同一の大きさの丸印をパターンとして施したレッグウエア。
【００２５】
（比較例３）
足の上から下に向かって縦に直線のパターンを施したレッグウエア。
【産業上の利用可能性】
【００２６】
上記レッグウエアによって、脚を細く長く美しく見せることができ、さらには自然な外観を保つことでレッグウエアとしての品質も向上させることができる。脚を細く長く、美しく見せたいという消費者の要望にこたえるだけでなく、いわゆるO脚といわれる脚の骨格が湾曲していることで、脚の見た目に悩む人々にも、本発明のレッグウエアを用いることで、脚を細く長く美しく見せることが可能である。
【図１】
2013142203.tif 000003
【図２】
2013142203.tif 000004